(57)【要約】【課題】本発明は、動画組込式自動販売機に関する。【解決手段】  高い映像処理能力を有するチップを採用して、自動販売機のマザーボードとし、消費者が市場で買い物をするシーンを再現する３Ｄ動画システムと、料金受取、計算、データ保存を行い、会計表のプリントをサポートする消費システムと、３Ｄ動画システムを組み込んだ購買手順制御プログラムモジュールとを含む。消費システムおよび自動販売機のマザーボードのポートをそれぞれ接続する。自動販売機のマンマシン操作画面にディスプレイ、およびＦＰＧＡボードを設置して、それぞれを自動販売機のマザーボードと接続し、ＦＰＧＡボードが自動販売機に動画ウィンドウで選ばれた商品を、排出機構から排出するようコマンドを送信する。本発明は、上記の技術提案を採用し、ディスプレイの３Ｄ動画を利用して、販売機に陳列した商品の特徴を表示する。動画を利用したマンマシンインターフェースにより、顧客が操作して商品を選び、代金を支払うことができ、それと同時に顧客に操作手順を案内する。これによって、マンマシンインタラクションによるインテリジェントセールスを実現した。【選択図】図１
2012512447.tif 000002
【特許請求の範囲】
【請求項１】
動画組込式自動販売機であって、高い映像再生能力を有するチップを採用して、自動販売機のマザーボード（１）とし、消費者が市場で買い物をするシーンを再現する３Ｄ動画システム（２）と、料金受取、計算、データ保存を行い、会計表のプリントをサポートする消費システム（４）と、消費者が市場で買い物をするシーンを再現する３Ｄ動画システム（２）を組み込んだ、購買手順制御プログラムモジュール（３）とを含み、購買手順制御プログラムモジュール（３）と、料金受取、計算、データ保存を行い、会計表のプリントをサポートする消費システム（４）を、それぞれ自動販売機のマザーボード（１）のポートと接続し、自動販売機のマザーボード（１）を介して、購買手順制御プログラムモジュール（３）と、料金受取、計算、データ保存を行い、会計表のプリントをサポートする消費システム（４）のソフトウェアプログラムを、オペレーティングシステム（５）にロードし、それと同時に、自動販売機のマンマシン操作画面に高解像度動画ファイルを再生することができるディスプレイ（６）、およびＦＰＧＡボード（７）を設置して、それぞれを自動販売機のマザーボード（１）と接続し、ディスプレイ（６）はマザーボード（１）の周辺ハードウェアとし、ＦＰＧＡボード（７）が自動販売機に動画ウィンドウで選ばれた商品を、排出機構から排出するようコマンドを送信することを特徴とする、自動販売機。
【発明の詳細な説明】
【技術分野】
【０００１】
本発明は、動画組込式自動販売機に関する。
【背景技術】
【０００２】
近年、飲料および石油供給業界において、自動販売機は目覚ましく発展している。自動販売機は通行人が多い場所に設置され、通行人にとって便利であると同時に、その地域に多くのビジネスチャンスをもたらす。現在、シンプルな販売機は、非常に多くの種類や型が存在するが、販売する商品の種類は比較的少なく、販売に関する操作ガイドの多くは図面や文字で説明されるという同様の特徴を有する。ディスプレイを採用して、静的画面で商品を展示し、購入者に操作手順を案内するものもある。内蔵ハードウェアの計算処理機能には限りがあるため、注文、支払、商品の排出など１次元の機能プログラムしか処理することができない。それゆえ、この種の自動販売機のメモリハードウェアの機能に制限があり、販売過程における会計管理の分類、統計、月報などの仕事を行うことができない。商品を排出する機能の制御に関して、信号フィードバックの処理にも制限があり、複数の商品通路で同時に排出することができない。そのため、現在では、公共の場所に設置されている自動販売機のほとんどは、単一種の商品、例えばコーヒー飲料販売機、コンドーム販売機などである。さらに、商品通路は比較的少なく、ほとんどが４０以下であり、消費ガイドのインターフェースは静止画面で行うのみである。
【発明の概要】
【発明が解決しようとする課題】
【０００３】
本発明は動画組込式自動販売機を提供する。目的は、シンプルな販売機のマンマシンインターフェースである、単一の静的画面を変更することにある。大きなスクリーンのディスプレイを採用して、機内商品の３Ｄ映像を表示する。他次元の購買操作ガイドと組み合わせ、愛想のない自動販売機の表示ウィンドウにアクティブな動画シーンを表示する。これにより、元の販売機の静止した商品表示ウィンドウおよび購買ガイド図を変更する。
【課題を解決するための手段】
【０００４】
上述の目的を実現するため、本発明が提供する技術提案は以下の通りである。動画組込式自動販売機は、高い映像再生機能を有するチップを採用して自動販売機のマザーボードとし、消費者が市場で買い物をするシーンを再現する３Ｄ動画システムと、料金受取、計算、データ保存を行い、会計表のプリントをサポートする消費システムと、消費者が市場で買い物をするシーンを再現する３Ｄ動画システムを組み込んだ、購買手順制御プログラムモジュールとを含む。購買手順制御プログラムモジュールと、料金受取、計算、データ保存を行い、会計表のプリントをサポートする消費システムを、それぞれ自動販売機のマザーボードのポートと接続する。自動販売機のマザーボードを介して、購買手順制御プログラムモジュールと、料金受取、計算、データ保存を行い、会計表のプリントをサポートする消費システムのソフトウェアプログラムを、オペレーティングシステムにロードする。それと同時に、自動販売機のマンマシン操作画面に、高解像度の動画ファイルを再生することができるディスプレイ、およびＦＰＧＡボードを設置して、それぞれを自動販売機のマザーボードと接続する。ディスプレイはマザーボードの周辺ハードウェアとし、ＦＰＧＡボードが自動販売機に動画ウィンドウで選ばれた商品を、排出機構から排出するようコマンドを送信する。
【０００５】
本発明は、上記の技術提案を採用し、ディスプレイの３Ｄ動画を利用して、販売機に陳列した商品の特徴を表示する。動画を利用したマンマシンインターフェースにより、顧客が操作して商品を選び、代金を支払うことができ、それと同時に顧客に操作手順を案内する。これによって、マンマシンインタラクションによるインテリジェントセールスを実現した。
【図面の簡単な説明】
【０００６】
【図１】図１は、本発明のシステム原理図である。
【発明を実施するための形態】
【実施例】
【０００７】
本実施例は、高い映像再生能力を有するＸ８６チップを採用して自動販売機のマザーボード１とし、消費者が市場で買い物をするシーンを再現する３Ｄ動画システム２と、料金受取、計算、データ保存を行い、会計表のプリントをサポートする消費システム４と、消費者が市場で買い物をするシーンを再現する３Ｄ動画システム２を組み込んだ、購買手順制御プログラムモジュール３とを含む。購買手順制御プログラムモジュール３と、料金受取、計算、データ保存を行い、会計表のプリントをサポートする消費システム４を、それぞれ自動販売機のマザーボード１のポートと接続する。自動販売機のマザーボード１を介して、購買手順制御プログラムモジュール３と、料金受取、計算、データ保存を行い、会計表のプリントをサポートする消費システム４のソフトウェアプログラムを、オペレーティングシステム５にロードする。それと同時に、自動販売機のマンマシン操作画面に、８００×６００以上の解像度の動画ファイルを再生することができるディスプレイ６、およびＦＰＧＡボード７を設置して、それぞれを自動販売機のマザーボード１と接続する。ディスプレイ６はマザーボード１の周辺ハードウェアとし、ＦＰＧＡボード７が自動販売機に動画ウィンドウで選ばれた商品を、排出機構から排出するようコマンドを送信する。
【０００８】
以上記載した実施例は、本発明の好適な実施例に過ぎず、これにより本発明の実施範囲を限定するものではない。したがって、本発明の形状、構造および原理に基づいて行う同等の変化は、すべて本発明の保護範囲に含まれるべきである。
【符号の説明】
【０００９】
１  マザーボード
２  ３Ｄ動画システム
３  購買手順制御プログラムモジュール
４  消費システム
５  オペレーティングシステム
６  ディスプレイ
７  ＦＰＧＡボード
【図１】
2012512447.tif 000003
【国際調査報告】
2012512447.tif 000004
2012512447.tif 000005
2012512447.tif 000006
2012512447.tif 000007